(57)【要約】  【課題】  図柄変動表示装置の表示部前面を通過する遊技球について、ある定まった所定の案内通路に従って通過するように設け、もって表示部の視認性を向上させ、また遊技者における遊技性の興趣が飛躍的に増すパチンコ機を提供する。  【解決手段】  遊技盤の遊技領域に図柄変動表示装置を備えたパチンコ機であって、図柄変動表示装置の表示部前面に透明材料で遊技球を案内するガイドレールを設け、前記表示部の側方又は上方から流入する遊技球を前記ガイドレールに沿って移動するように設けたことを特徴とする。  【選択図】    図１
2005028012.tif 000002
【特許請求の範囲】
【請求項１】
遊技盤の遊技領域に図柄変動表示装置を備えたパチンコ機であって、該図柄変動表示装置の表示部前面に透明材料で遊技球を案内するガイドレールを設け、前記表示部の側方又は上方から流入する遊技球を前記ガイドレールに沿って移動するように設けたことを特徴とするパチンコ機。
【請求項２】
前記ガイドレールは、前記表示部を横切って緩やかな波状に設け、前記表示部の側部から飛び込んで遊技球が、表示部の前面で前記ガイドレールに沿って上下動しながら表示部を横切るようにしたことを特徴とする請求項１記載のパチンコ機。
【請求項３】
前記ガイドレールは、前記表示部の前面を覆う透明板と共に設けたことを特徴とする請求項１乃至２記載のパチンコ機。
【請求項４】
前記図柄変動表示装置は表示部の上部を被うケース傘とケース傘に設けた遊技球の流下口とを有し、前記ガイドレールは、前記ケース傘の流下口から流下する遊技球を表示部の下部にある始動口へ向けて案内するようにしたことを特徴とする請求項１乃至３記載のパチンコ機。
【発明の詳細な説明】
【技術分野】
【０００１】
本発明は、遊技盤上に遊技球を発射して遊技球を入賞口へ入賞するのを競うパチンコ機に関し、特に遊技盤上に液晶などの図柄変動表示装置を備え、遊技盤上の始動口に入賞すると図柄変動表示装置の図柄変動が開始され、特定の遊技状態に至る抽選が行われるようにしたパチンコ機に関する。
【背景技術】
【０００２】
従来この種のパチンコ機として遊技盤の略中央部に液晶表示盤等の図柄変動表示装置を装着したパチンコ機があり、この液晶表示装置の液晶表示部の大きさが年々大型化されている。この表示装置の表示部前面は、表示部の保護や表示部の視認性の点から、通常は遊技球が通過しないように表示装置の前飾りや障碍釘の配置によって設けられている。
上記表示部の大型化による遊技領域が縮小されるのを改善するため、図３のように、表示装置４０の表示部３９の前面で上部に障碍釘３４ａを複数本配置し、表示部３９の上部から下部へ遊技球がランダムに落下するように設けたパチンコ機も発明されている。
【０００３】
本願出願の先行技術としては図３に示した次のものがある。
【特許文献１】特開平２０００−５４０５号公報
【発明の開示】
【発明が解決しようとする課題】
【０００４】
上記従来技術によるパチンコ機は、表示部３９の前面側に遊技球の通過領域を設けたので、液晶等の表示装置４０が大型化されても遊技性が損なわれることがなく、遊技性を向上出来るものとしている。
しかしながら上記従来技術のパチンコ機では、表示部３９の上部に障碍釘３４ａをランダムに配置して、表示装置４０の上部に発射された遊技球が、枠体２０の飛び込み穴２６ａ、２６ｂ、２６ｃから枠体内へ入室して、障碍釘３４ａで移動されながら表示部３９の前面をランダムに落下するものである。
このため表示部３９の前面で表示部を注視する遊技者にとっては、表示部３９の前面を遊技球がランダムに落下すると甚だ目障りとなり、表示部の図柄が見え難くなって、遊技性が大幅に減退してしまうものである。
【０００５】
本発明はこのような従来技術の問題点を解消するパチンコ機を提供するものであって、図柄変動表示装置の表示部前面を通過する遊技球について、ある定まった所定の案内通路に従って通過するように設け、もって表示部の視認性を向上させ、また遊技者における遊技性の興趣が飛躍的に増すパチンコ機を提供することを目的とするものである。
【課題を解決するための手段】
【０００６】
本発明の請求項１の発明は、遊技盤の遊技領域に図柄変動表示装置を備えたパチンコ機であって、該図柄変動表示装置の表示部前面に透明材料で遊技球を案内するガイドレールを設け、前記表示部の側方又は上方から流入する遊技球を前記ガイドレールに沿って移動するように設けたことを特徴とするパチンコ機である。
【０００７】
本発明は上記の構成であって、遊技球は表示装置の表示部の前面に設けた透明材料のガイドレールに沿って移動する。
このため従来のように遊技球が表示部の前面をランダムに通過するのではなく、ある定まった遊技球の通過軌跡を描きながら表示部の前面で運動移動する。
このため遊技者から見えない透明なガイドレールと、このガイドレールに案内されて所定軌跡を描いて移動する遊技球とによって、表示部の視認性が損なわれず、しかも遊技球の移動運動領域が広くなり、大きな遊技領域が確保され、ゲームの興趣が増すものである。
【０００８】
本発明の請求項２の発明は、前記ガイドレールは、前記表示部を横切って緩やかな波状に設け、前記表示部の側部から飛び込んで遊技球が、表示部の前面で前記ガイドレールに沿って上下動しながら表示部を横切るようにしたことを特徴とする請求項１記載のパチンコ機である。
【０００９】
本発明の請求項２の発明によれば、表示部の左右側部から飛び込んで来た遊技球は緩やかな波状の山谷ガイドレールに沿って上下動しながら表示部を移動ないし横切ることになる。このため遊技球の運動移動量が従来に比べて格段に大きく広くなり、また表示部の前面を上下動しながら移動するので、遊技球の動きにも変化が得られ、大きな興趣が得られる。
【００１０】
本発明の請求項３の発明は、前記ガイドレールは、前記表示部の前面を覆う透明板と共に設けたことを特徴とする請求項１乃至２記載のパチンコ機である。
【００１１】
本発明の請求項３の発明によれば、前記ガイドレールに表示部の前面を覆う透明カバーが設けられている。
このため表示部に、遊技領域内を運動する遊技球が直接当たらないから、遊技球が表示部に突当たることによる図柄変動表示装置の故障がなく、安全が図られる。
【００１２】
本発明の請求項４の発明は、前記図柄変動表示装置は表示部の上部を被うケース傘とケース傘に設けた遊技球の流下口とを有し、前記ガイドレールは、前記ケース傘の流下口から流下する遊技球を表示部の下部にある始動口へ向けて案内するようにしたことを特徴とする請求項１乃至３記載のパチンコ機である。
【００１３】
本発明の請求項４の発明によれば、ケース傘に遊技球の流下口を設けてあり、この流下口から落下する遊技球を自然に落下させるのではなく、所定の軌跡に従って移動するように表示部の前面でガイドレールが設けてあり、表示部を通過した遊技球は下部の始動口に向けて案内される。
このケース傘から落下する遊技球についてもガイドレールで案内され、表示部中央を上下に設けてもよく、また表示部の前面を蛇行しながら移動するように設けてもよく、更にケース傘の流下口から表示部周りに沿って移動するように分岐して設け、表示部下方で合流させ、下方の始動口へ向けて誘導するように設けることも出来る。
ガイドレールは透明材料で形成されるため、遊技球の動きのみが視認され、これまでにない遊技球の軌跡が得られ、またゲームの興趣が得られる。
【発明の効果】
【００１４】
本発明の効果としては、図柄変動表示装置の表示部前を通過する遊技球について、表示部前をある所定の軌跡に従って移動するようにした。このため表示部前面の視認性が大きく向上し、また遊技者にとっては表示部前面を所定の軌跡で変化しながら遊技球が移動運動するので、図柄変動表示と共に遊技球の変化ある運動範囲、運動面積が大きく増し、これまでにはない遊技球の移動運動変化が得られ、遊技球によるパチンコゲームの興趣が飛躍的に増すものである。
【発明を実施するための最良の形態】
【００１５】
本発明の最良の形態は、図柄変動表示装置の表示部前面に、透明プラスチック材料からなる遊技球の移動を案内するガイドレールを、表示部前面を横切るように設け、表示部の側部から流れる遊技球が透明なガイドレールに案内されて表示部を通過するようにしたパチンコ機の構成である。前記ガイドレールは表示部を横切る略山谷形状に設けると、表示部の前面で山谷形状のガイドレールに案内されて上下動しながら表示部を横切るので更に遊技球の変化が楽しめる。また前記ガイドレールは上部のケース傘に設けた流入口から落下する遊技球を下部の始動口へ向けて案内するように、上下方向にガイドレールを設けることも出来る。
【実施例１】
【００１６】
以下、本発明の一実施例を図面に基づいて説明する。
図１はいわゆる第１種パチンコ機１を示し、パチンコ機１は遊技盤２上に設けた外レール４と内レール３とで遊技領域６が形成されている。この遊技領域６の中央部にセンターケース７が設けられ、センターケース７内に図柄変動表示装置８とLED普通図柄表示装置９が設けられている。センターケース７の周りには風車１０、１１が、また下部中央部には、図柄変動表示装置８の図柄変動を開始する始動口１２が、始動口１２の左右にLED普通図柄表示装置9の図柄変動を開始するゲート１３や入賞口１４が設けられている。
【００１７】
始動口１２の下部には、図柄変動表示装置８の図柄が特別な状態で停止した際に大きな賞球が得られる大入賞口１６や、その左右に通常の入賞口１７を一体に設けたアタッカー１５を配置し、その下部に上記いずれの入賞口にも入らずに流下したアウト球を遊技盤２裏面に回収するアウト口１８が配置されている。遊技領域６の左右で内レール３の近傍にサイドランプ１９が、またこれら遊技領域６内には多数の障碍釘２０を所定の配置で打設している。
【００１８】
遊技盤２の下部は、遊技球を発射装置に誘導する遊技球供給皿１ａ、その下部に供給皿１ａの余剰遊技球を貯留する下部遊技球受け皿１ｄ、及び発射装置のハンドル１ｃ等が設けられている。遊技球はハンドル１ｃの操作で発射装置から球通過路5を通って遊技領域6の上部へ発射される。発射された遊技球は、障碍釘２０や風車１０、１１、センターケース７などを経て、例えば始動口１２や入賞口１４、１７へ入賞し、入賞口へ入賞すると所定数の遊技球が内部の賞球払い出し装置から払い出される。
【００１９】
また始動口１２入賞すると、センターケース７内の図柄変動表示装置表示部８の図柄が変動を開始し、所定時間経過後に図柄変動が停止し、例えば同じ図柄が揃うと大当たりとなり、アタッカー１５の大入賞口６が所定球数を受け入れるまで開口し多数の賞球が得られる。更に大入賞口内のＶ入賞口に入賞すると、再度大入賞口１６が開口し、開口動作が繰り返し行われる。
従って遊技者は、始動口１２への入賞を狙い、また図柄変動表示部８の図柄変動を注視しながらゲームが行われる。
【００２０】
この遊技者が最も注視する図柄変動表示装置の表示部８の前面に、図示のごとくなだらかな山形状のガイドレール３０を設けた。このガイドレール３０は表示部８の前面を被う透明板と一体に透明な樹脂材料で形成した。
このため通常は遊技盤２の奥位置に設置される表示部８がきれいに視認でき、透明ガイドレール３０が容易に視認できない。図１はガイドレール３０の全体形状の一例を示し、表示部８の両サイド部間を橋渡しするように略なだらかな山形状に設けてある。またこのガイドレール３０は遊技球がガイドレール３０上で貯留停止しない程度になだらかな略谷形状に設けてもよい。
【００２１】
また図１の実施例では、ガイドレール３０の端部３１、３１の側方に誘導釘群３２、３２を始動口１２へ向けて略漏斗状に誘導するように設けてある。
これによって、表示部８のガイドレール３０に案内されて反対側のサイドへ流れる遊技球は、ここで誘導釘群３２、３２によって、遊技領域６内の始動口１２へ向けて誘導され、遊技領域の端部のサイドランプ１９付近へ流れるのが防止され。
ガイドレール３０は平板状でもよく、また底面と奥側とに支持面がある略Ｌ形状でもよく、また底面と両サイドを支持するようにＵ溝形状のガイドレール３０に設けてもよい。
【００２２】
図２は別のパチンコ機の遊技盤面を示す実施例である。この実施例では、図柄変動表示装置の表示部８上面を被うケース傘７に遊技球Ｐの流入口７１を設け、表示部８の両側部からも、又上部からも表示部８へ遊技球が流入するように設けた。
この実施例では、ガイドレール３０は表示部８の前面を被う透明板と、表示部８の上側に設けた上部ガイドレール３３と表示部８の下側に設けた下部ガイドレール３４、３５とからなり、上部ガイドレール３３と下部ガイドレール３４、３５間は表示部８の側部から流入する遊技球Ｐを受け入れ、また、ガイドレール３４、３５間は表示部8の中央部で下部始動口１２に落下するように間隙が設けられている。
【００２３】
上部ケース傘７の流入口７１から流入した遊技球Ｐはガイドレール３３上で左右いずれかに振り分けられ、表示部８の側部でガイドレール３３の端部から下部ガイドレール３４又は３５上へ落下する。ここで下部ガイドレール３３、３４が水平な平坦面であれば表示部８の側部、または中央部いずれかへ流れ、また前記実施例のように波形の下部ガイドレール３３、３４であれば、遊技球Ｐの落下位置によって例えばレール３４，３５の両端付近に落下しても中央側へ流れて始動口１２へ入ったり、中央側に落下しても側部側へ流れたりして、方向性に種々の変化を持たせられるので、ゲームの興趣が得られる。
本発明の別の実施例として、ケース傘から落下する遊技球について、ガイドレールは表示部中央を上下に設けてもよく、また表示部の前面を蛇行しながら移動するように設けてもよい。
ガイドレールは透明材料で形成されているので、遊技球の動きのみが視認され、これまでにない遊技球の軌跡が得られると共に、遊技球の自由な弾発運動範囲が広くなってパチンコゲームの興趣が増す。
【産業上の利用可能性】
【００２４】
パチンコ機であって、特に図柄変動表示装置をもつパチンコ機に適用でき、特に大型液晶表示装置を備えたパチンコ機であれば第一種遊技機の他、第二種遊技機、第三種遊技機、第四種遊技機、またはこれらを組合せた複合遊技機にも適用できるものである。
【図面の簡単な説明】
【００２５】
【図１】本発明の実施例を示すパチンコ機１を示す正面図である。
【図２】本発明の別の実施例を示すパチンコ機の遊技盤２を示す正面図である。
【図３】従来技術を示す遊技盤図柄変動表示部の図である。
【符号の説明】
【００２６】
１  パチンコ遊技機                        ２  遊技盤
３  内レール                              ４  外レール
５  通路                                  ６  遊技領域
７  センターケース傘                      ８  図柄変動表示装置
９  普通図柄表示装置                      １０、１１  風車
１２  始動口                              １３  ゲート
１４、１７  普通入賞口                    １５  アタッカー
１６  大入賞口                            １８  アウト口
１９  サイドランプ                        ２０  障碍釘
３０  ガイドレール                        ３１  ガイドレールの端部
３２  誘導釘群                            ３３  上部ガイドレール
３４、３５  下部ガイドレール              Ｐ  遊技球
【図１】
2005028012.tif 000003
【図２】
2005028012.tif 000004
【図３】
2005028012.tif 000005